(57)【要約】      （修正有）【課題】泡切れがよく、内容物の固化による目詰まりを起こさないフォーマーディスペンサーを提案する。【解決手段】容器の口部に固定保持されるべースキャップ１と、べースキャップに垂下保持され、同心二重配置になる２つのポンプ２、３と、各ポンプの出側経路をそれぞれ合流させる空間領域Ｍを形成する筒体４ａを有し、押し込み動作を繰り返して内容物及び外気を空間領域内で混合、発泡させてノズル４ｂを通して外界へ噴出させる押圧ヘッド４とを備えたフォーマーディスペンサーにおいて、押圧ヘッドの筒体内に、押圧ヘッドの押し込み方向に沿ってスライド可能に弾性保持され、筒体の出側開口端に当接して出側開口を密閉するシール部材５を設ける一方、押圧ヘッドの天面部に、天面部を通り抜けてシール部材に連結するロッド１２を有し、押圧ヘッドの押し込みによってシール部材をスライドさせて筒体の出側開口を開放するカバー体１１を設ける。【選択図】図１
2010126235.tif 000002
【特許請求の範囲】
【請求項１】
容器の口部に固定保持されるべースキャップと、このべースキャップに垂下保持され容器内の内容物と外気をそれぞれ個別に吸引、加圧、圧送する同心二重配置になる２つのポンプと、これら各ポンプの出側経路をそれぞれ合流させる空間領域を形成する筒体を有し、押し込み動作の繰り返しにて各ポンプを駆動させて内容物及び外気をそれぞれ該空間領域内で混合、発泡させてノズルを通して外界へ噴出させる押圧ヘッドとを備えたフォーマーディスペンサーであって、
前記押圧ヘッドの筒体内に、該押圧ヘッドの押し込み方向に沿ってスライド可能に弾性保持され、該筒体の出側開口端に当接して該出側開口を密閉するシール部材を設け、
前記押圧ヘッドの天面部に、該天面部を通り抜けてシール部材に連結するロッドを有し、押圧ヘッドの押し込み方向に沿う押し込みによってシール部材をスライドさせて筒体の出側開口を開放するカバー体を設けたことを特徴とするフォーマーディスペンサー。
【請求項２】
前記押圧ヘッドの天面部に、ロッドを取り囲む環状周壁を設け、該ロッドに、環状周壁の内壁に摺動可能に当接するとともに、シール部材のスライドに帯同させてバックサクションを誘発させる環状シール部材を設けた、請求項１記載のフォーマーディスペンサー。
【発明の詳細な説明】
【技術分野】
【０００１】
本発明は、容器内の内容物を外気（エアー）と混合、泡状にして噴出させるのに好適なフォーマーディスペンサーに関するものであり、ノズル部における泡切れをよくするとともに、発泡部材であるメッシュリングの目詰まりを回避し噴出形態の安定化を図ろうとするものである。
【背景技術】
【０００２】
洗顔料や整髪剤等を充填した容器では、容器内の内容物を直接泡状にして噴出させるフォーマーディスペンサーを装着したものが多用されており、これにより内容物の泡立て動作を省略した簡便な使用を実現している。
【０００３】
かかるディスペンサーは、容器の口部に固定保持されるべースキャップに、内容物の吸引、加圧、圧送を司るピストンと、外気の吸引、加圧、圧送を行うエアーピストンをそれぞれ同心に配置した単一のシリンダーが取り付けられており、押圧ヘッドにより各ポンプ内のピストンを同期駆動させて内容物と外気をそれぞれ各シリンダーに吸引するとともに加圧、圧送し、ポンプの出側における合流空間にて内容物と外気を相互に混合させてメッシュ等の発泡部材を通過させることで内容物を泡状にして外部へ噴出させる仕組みになっている（例えば、特許文献１参照）。
【０００４】
【特許文献１】特開平８−２３０９６１号公報
【０００５】
ところで、上記のような従来のフォーマーディスペンサーは、内容物の噴出後における泡切れがよくない（ノズル部の先端から液がたれやすい）ところに難点を有しており、また、ノズルの内部通路やそれに至る前の通路、発泡部材等に内容物が付着、残存するのが避けられないことから、外気との接触により内容物が固化して発泡部材の目詰まりを引き起こす場合があって噴出形態が不安定となり均質な泡を噴出させることができない場合があった。
【発明の開示】
【発明が解決しようとする課題】
【０００６】
本発明の課題は、内容物の噴出後における泡切れをよくするとともに発泡部材の目詰まりを起こすことのない新規なフォーマーディスペンサーを提案するところにある。
【課題を解決するための手段】
【０００７】
本発明は、容器の口部に固定保持されるべースキャップと、このべースキャップに垂下保持され容器内の内容物と外気をそれぞれ個別に吸引、加圧、圧送する同心二重配置になる２つのポンプと、これら各ポンプの出側経路をそれぞれ合流させる空間領域を形成する筒体を有し、押し込み動作の繰り返しにて各ポンプを作動させて内容物及び外気をそれぞれ該空間領域内で混合、発泡させてノズルを通して外界へ噴出させる押圧ヘッドとを備えたフォーマーディスペンサーであって、
前記押圧ヘッドの筒体内に、該押圧ヘッドの押し込み方向に沿ってスライド可能に弾性保持され該筒体の出側開口端に当接して該出側開口を密閉するシール部材を設け、
前記押圧ヘッドの天面部に、該天面部を通り抜けてシール部材に連結するロッドを有し、押圧ヘッドの押し込み方向に沿う押し込みによってシール部材をスライドさせて筒体の出側開口を開放するカバー体を設けたことを特徴とするフォーマーディスペンサーである。
【０００８】
上記の構成になるフォーマーディスペンサーにおいては、押圧ヘッドの天面部に、ロッドを取り囲む環状周壁を設け、該ロッドに、環状周壁の内壁に摺動可能に当接するとともに、シール部材のスライドに帯同させてバックサクションを誘発させる環状シール部材を設けることができる。
【発明の効果】
【０００９】
筒体の出側開口は押圧ヘッドを押し込まない限りシール部材によって常に密閉状態に保持されており、筒体内に存在する内容物が外気と接触するのが避けられるため発泡部材が目詰まりを起こすことがなくなる。
【００１０】
また、内容物の噴出後においてはシール部材が初期の位置へ復帰する動作によってノズルの通路内が負圧化することができるためノズル先端に残存する内容物は筒体側へと引き込まれ泡切れがよくなる（バックサクションが誘発される）。
【発明を実施するための最良の形態】
【００１１】
以下、図面を参照して本発明をより具体的に説明する。
図１は本発明にしたがうフォーマーディスペンサーの実施の形態を容器の口部に取付けた状態で示した図であり、図２は図１に示したフォーマーディスペンサーの要部拡大図である。
【００１２】
図における番号１は容器の口部に固定保持されるべースキャップである。このべースキャップ１は、容器の口部の外面に設けられたねじ部に係合するねじ部を有する周壁１ａと、この周壁１ａの上端に一体連結する隔壁１ｂにて構成されている。べースキャップ１はアンダーカットの如き係合手段によって容器の口部に係合させるようにしてもよい。
【００１３】
また、２、３はべースキャップ１に垂下保持されるポンプである。ポンプ２、３のうちポンプ２は吸引管２ａを通して容器内の内容物を吸引、加圧、圧送するポンプであり、３は外気を吸引、加圧、圧送するポンプである。これらのポンプ２、３は各シリンダー２ｂ、３ａ毎にそれぞれ構成部材が個別に組み込まれた同心二重配置の単一部材で構成されており、押圧ヘッドの押し込み動作によって各ポンプ２、３を同時に駆動することができるようになっている。
【００１４】
ポンプ２はシリンダー２ｂ内に配置されるポペット２ｃと、中空ステムＳの下部にてスプリング２ｄを介して弾性支持され、シリンダー２ｂ内でスライド可能な中空ピストン２ｅとを備えており、中空ピストン２ｅの上端部とポペット２ｃの上端部が当接することにより中空ピストン２ｅの上端開口２ｅ１が閉塞されているが、押圧ヘッドを押し込んでシリンダー２ｂの内部が規定圧力に達した時点でもって上端開口２ｅ１が開放されてシリンダー２ｂ内の内容物が逆止弁ｅを通して流出するようになっている。
【００１５】
また、４は押圧ヘッドである。この押圧ヘッド４は、押し込み動作を繰り返すことにより各ポンプ２、３を駆動するものであって、べースキャップ１の隔壁１ｂに設けられた中央開口部１ｂ１にて起立する筒体４ａと、この筒体４ａの上部側壁に一体的に設けられた横向きのノズル４ｂから構成されている。筒体４ａはその下部がポンプ２、３のステムＳにつながっており、その内側には各ポンプ２、３の出側経路をそれぞれ合流させる空間領域（混合室）Ｍが形成されている。
【００１６】
また、５は筒体４ａ内に配置されたディスク状のシール部材である。このシール部材５は筒体４ａの内壁に間隔をおいて複数設けられた縦リブ４ｃをガイドにして上下にスライドすることができるようになっている。６は筒体４ａの空間領域Ｍ内に配置され、エアーの混在した内容物を泡状にするメッシュリングである。このメッシュリング６の上端及び下端には発泡部材６ａ、６ｂ（シート状のもの）が配置されている。７はメッシュリング６の上端面に設置され、シール部材５を弾性保持するスプリングである。シール部材５はスプリング７によって筒体４ａの出側開口端４ａ１に形成された座面Ｚ（図２参照）に押しつけられ、筒体４ａの出側開口を押圧ヘッド４の押し込みを伴わない初期姿勢において密閉状態に維持している。
【００１７】
８は押圧ヘッド４の天面部に設けられた外側環状周壁、９は外側環状周壁８の内側に設けられた内側環状周壁、１０は押圧ヘッド４の天面部に形成されその内部につながる貫通孔である。この貫通孔１０の縁部に内側環状周壁９が位置しており、この内側環状種周壁９によって後述するロッドを取り囲んでいる。また、１１は外側周壁８に沿ってスライド可能に抜け止め保持されたカバー体である。このカバー体１１は、外側周壁８を取り囲む周壁１１ａと、この周壁１１ａの上端に一体連結する天板１１ｂと、天板１１ｂの下面に一体連結し内側環状周壁９を取り囲む垂下筒体１１ｃから構成されており、アンダーカットの如き係合手段によって外側環状周壁８に抜け止めされている。
【００１８】
１２はシール部材５の上面に一体連結した例で示したロッドである。このロッド１２は貫通孔１０を通り抜けて押圧ヘッド４の天面部に突出する突出端部１２ａを有しており、この突出端部１２ａがカバー体１１の小筒体１１ｄに嵌合している。ロッド１２の突出端部１２ａはカバー体１１と一体連結していてもよい。
【００１９】
さらに、１３はロッド１２の外周壁に設けられ、内側環状周壁９の内壁に摺動可能に当接してその相互間をシールする環状シール部材である。この環状シール部材１３はロッド１２と同材質とした一体成形によって形成されている。１４はべースキャップ１の周壁１ａに着脱自在に取り付けられ押圧ヘッド４を覆い隠す保護キャップである。
【００２０】
容器内の内容物を噴出させるには、保護キャップ１４を取り外したのち押圧ヘッド４を最下端（押し込みエンド）まで押し込んだ後に押し込みに係る力を取り除く動作を繰り返し行えばよい。押圧ヘッド４を押し込み、その押し込みに係る力を取り除くとスプリング２ｄの付勢力によって押圧ヘッド４が元の位置へと復帰し、この時、シリンダー２ｂ内は負圧化され、容器内の内容物は吸引管２ａ、吸引口を経てシリンダー２ｂ内に吸引される。
【００２１】
押圧ヘッド４の押し込みに係る力を取り除くとポンプ３についても、やはりシリンダー３ａ内が負圧となりピストン３ｂに配された環状の逆止弁３ｂ１を通してシリンダー３ａ内にエアーが導入される。なお、シリンダー３ａの壁部に設けられた開孔３ａ２は、内容物の噴出に伴う容器内の負圧を解除するエアー導入孔であり、押圧ヘッド４の押し込みにより外界と連通し、外気を容器内へと導入する。
【００２２】
押圧ヘッド４が初期姿勢に復帰したのち、再度押圧ヘッド４を押し込むと、中空ステムＳにより中空ピストン２ｅ、ピストン３ｂがともに押し込まれ、エアーの導入孔３ａ２が外界と連通する。中空ピストン２ｅ、ピストン３ｂの押し込みによってシリンダー２ｂ及びシリンダー３ａの内部がそれぞれ加圧され、シリンダー２ｂについては所定の圧力に達した時、中空ピストン２ｅの上端開口２ｅ１が開となり、加圧された内容物は押圧ヘッド４の筒体４ａにて形成された空間領域Ｍへ流出する。一方、シリンダー３ａにおいては加圧されたエアーが中空ステムＳと押圧ヘッド４の筒体４ａの内壁との間で形成される隙間ｔを通して空間領域Ｍへ流出する。
【００２３】
空間領域Ｍに流出した内容物及びエアーはその部位で混合され、メッシュリング６を経て発泡、整泡された後、内部通路を通ってノズル４ｂの先端から外界へと噴出される。
【００２４】
押圧ヘッド４の押し込みに際しては、図３に示すように、その天面部でカバー体１１が外側周壁８に沿って単独で下に向けてスライドしロッド１２によってシール部材５が押し込まれることになり、筒体４ａの出側開口端４ａ１に形成された座面７から該シール部材５が離反して出側開口が開放される。
【００２５】
押圧ヘッド４の押し込みに係る力を取り除いた状態（内容物及びエアーの吸引工程）では、スプリング７の付勢力によりシール部材５は初期姿勢に復帰し筒体４ａの出側開口端４ａ１に形成された座面Ｚに押し付けられて出側開口が再び密閉状態に維持される。
【００２６】
本発明にしたがうフォーマーディスペンサーは、内容物を噴出させるときにのみ筒体４ａの出側開口が開放されることとなるので、押圧ヘッド４の内部通路内、とくに混合室を形成する空間領域Ｍにおいては内容物が残存していても外気との接触が避けられるため、その固化等によってメッシュリング６が目詰まりを起こすことがない。
【００２７】
また、シール部材５が初期姿勢に復帰するとき、環状シール部材１３が内側環状周壁９の内壁に沿って摺動しながら上方へ移動することになるためノズル４ｂの内部通路における負圧化によりバックサクションが誘発され、ノズル４ｂの先端部分に残存している内容物が筒体４ａ側へと引き込まれ泡切れがよくなる。
【００２８】
本発明の実施の形態では、シール部材５にロッド１２を一体連結した場合について示したが、該ロッド１２はカバー体１１に一体連結したものを適用することもできる。また、環状シール部材１３はロッド１２とは材質の異なるものを用いるのが好ましいが、ロッド１２において所望の剛性を確保できるならば環状シール部材１３と同材質のものを用いてもよい。シール状態が確保できるならば摺動する際に変形を伴う軟質材で構成してもよいし変形を伴わない硬質材で構成してもよい。
【産業上の利用可能性】
【００２９】
泡切れがよく、メッシュリングにおいて目詰まりを起こすことのないフォーマーディスペンサーを提供することができる。
【図面の簡単な説明】
【００３０】
【図１】本発明にしたがうフォーマーディスペンサーの実施の形態を示した図である。
【図２】図１の要部拡大図である。
【図３】図１に示したフォーマーディスペンサーの作動要領の説明図である。
【符号の説明】
【００３１】
１        べースキャップ
１ａ      周壁
１ｂ      隔壁
２        ポンプ
２ａ      吸引管
２ｂ      シリンダー
２ｃ      ポペット
２ｄ      スプリング
２ｅ      中空ピストン
３        ポンプ
３ａ      シリンダー
３ｂ      ピストン
４        押圧ヘッド
４ａ      筒体
４ｂ      ノズル
４ｃ      縦リブ
５        シール部材
６        メッシュリング
６ａ      発泡部材
６ｂ      発泡部材
７        スプリング
８        外側環状周壁
９        内側環状周壁
１０      貫通孔
１１      カバー体
１１ａ    周壁
１１ｂ    天板
１１ｃ    垂下筒体
１１ｄ    小筒体
１２      ロッド
１２ａ    突出端部
１３    環状シール部材
１４    保護キャップ
Ｓ      中空ステム
Ｍ      空間領域（混合室）
ｅ      逆止弁
Ｚ      座面
【図１】
2010126235.tif 000003
【図２】
2010126235.tif 000004
【図３】
2010126235.tif 000005